(57)【要約】【課題】棚板に想定以上の集中荷重が加わったとき、壁パネルに撓みが生じて棚受けごと屋内側に迫り出すという問題を解決した堅牢な組立家屋の棚受け構造を提供する。【解決手段】屋内側に開口した溝ａと内方へ折れ曲がったリップ１ａを有する間柱１と間柱１の間に、主板部５と、主板部の左右両端から内側に折曲形成された両側板部６と、各側板部の内端から間柱の溝内に向けて折り曲げ連設された折曲板部７とを備えた壁パネル２を設置した組立家屋において、折曲板部に上下方向に間隔を隔てて少なくとも２個の貫通孔ａを形成し、棚受け３ａには上側係止片１５と下側係止片１６を設け、上側係止片の上向き爪部１５ａを上端部が横側方へ曲がるにつれて屋内側へ曲がった形状とし、上側係止片及び下側係止片における下向き爪部を貫通孔の下縁部に係止させ、上側係止片の上向き爪部を間柱のリップに係止させて、棚受けを間柱と壁パネルとで支持させる。【選択図】図５
2008253667.tif 000002
【特許請求の範囲】
【請求項１】
屋内側に開口した溝を有し且つ溝の両側縁に溝内方へ折れ曲がったリップを有する断面形状の間柱と間柱の間に、主板部と、主板部の左右両端から内側に折曲形成された両側板部と、各側板部の内端から間柱の溝内に向けて折り曲げ連設された折曲板部とを備えた壁パネルを設置した組立家屋において、前記折曲板部に上下方向に間隔を隔てて少なくとも２個の貫通孔を形成する一方、棚受けの後端には、これらの貫通孔に対応させて、上向きの爪部と下向きの爪部を有する上側係止片と、下向きの爪部を有する下側係止片とを設け、上側係止片における上向きの爪部を上端部が横側方へ曲がるにつれて屋内側へ曲がった形状とし、上側係止片を上方の貫通孔に、下側係止片を下方の貫通孔に夫々挿入して、上側係止片及び下側係止片における下向きの爪部を各々の貫通孔の下縁部に係止させ、上側係止片における上向きの爪部を間柱のリップに係止させて、棚受けを間柱と壁パネルとで支持するように構成したことを特徴とする組立家屋の棚受け構造。
【請求項２】
請求項１に記載の組立家屋の棚受け構造であって、前記折曲板部に二重に折り曲げ加工された二枚重ね板部を設け、この二枚重ね板部に前記貫通孔を形成する一方、前記棚受けの棚板支持部と前記上側係止片及び下側係止片との間に位置する縦板部を、それらに対して平面視で略直角に折れ曲がった形状とし、この略直角に折れ曲がった折曲縦板部分を壁パネルの折曲板部と面接触させるように構成したことを特徴とする組立家屋の棚受け構造。
【発明の詳細な説明】
【技術分野】
【０００１】
本発明は、例えば、物置やガレージとして使用される組立家屋の棚受け構造に関する。
【背景技術】
【０００２】
屋内側に開口した溝を有し且つ溝の両側縁に溝内方へ折れ曲がったリップを有する断面形状の間柱と間柱の間に、主板部と、主板部の左右両端から内側に折曲形成された両側板部と、各側板部の内端から間柱の溝内に向けて折り曲げ連設された折曲板部とを備えた壁パネルを設置した組立家屋においては、屋内に棚板を設ける場合、間柱に棚受けを取り付けるのが一般的である。
【０００３】
しかしながら、間柱が屋内側に開口した溝を有する断面形状であるため、間柱に対する棚受けの取付けには、間柱の側面板部と棚受けの一部とを挟持するクランプ機構とその締付けボルト、あるいは、間柱の側面板部と棚受けの一部を連結するボルト・ナットが必要とされ、何れの場合も、棚受け構造の構成部品点数が多く、しかも、工具を用いた取付け作業となり、棚受けの取付けにかなりの時間を要した。
【０００４】
ところで、特許文献１には、上下方向に間隔を隔てて複数個の貫通孔が形成された断面Ｌ字状の棚受け支柱を壁パネル同士の接合部にボルト・ナットで連結し、棚受けの背面上側に設けられた係止片の爪部を前記貫通孔に挿入係止させて、棚受けを棚受け支柱で支持するようにした組立家屋の棚受け構造が記載されている。
【０００５】
この棚受け構造によれば、棚受け支柱に対する棚受けの取付けは、係止片の爪部を貫通孔に挿入係止させるワンタッチ操作によって迅速に行えるが、係止片が棚受けの背面上側だけに設けられているため、棚受けの上方や左右方向への安定性が悪く、しかも、専用の棚受け支柱と、棚受け支柱を取り付けるための手間及び工具が必要であるから、全体として棚受けの取付けに長時間を要する点では、上記の一般的な従来技術とさほど差異はないと言える。また、この棚受け構造では、棚受けを取り付けたい位置に、予め、棚受け支柱を取り付けておかなければならないので、棚受け取付け位置の自由度が低く、棚受け取付け位置の変更には多大の時間を必要とするといった問題点がある。
【０００６】
特許文献２に記載の組立家屋の棚受け構造は、これらの問題点を解決すべく本発明の出願人が先に提案したものであって、図１１〜図１３に示すように、屋内側に開口した溝ａを有し且つ溝ａの両側縁に溝内方へ折れ曲がったリップ１ａを有する断面形状の間柱１と間柱１の間に、主板部５と、主板部５の左右両端から内側に折曲形成された両側板部６と、各側板部６の内端から間柱１の溝ａ内に向けて折り曲げ連設された折曲板部７とを備えた壁パネル２を設置した組立家屋において、前記折曲板部７に上下方向に間隔を隔てて少なくとも２個の貫通孔ｂを形成し、これらの貫通孔ｂに、棚受け３ａ，３ｂ後端に設けられた上側係止片１５の爪部１５ａ，１５ｂと下側係止片１６の爪部１６ａを挿入係止させて、棚受け３ａ，３ｂを壁パネル２で支持するように構成した点に特徴がある。
【０００７】
尚、折曲板部７には、二重に折り曲げ加工された二枚重ね板部が設けられており、この二枚重ね板部に前記貫通孔ｂが形成されている。そして、上側係止片１５に形成した上向きの爪部１５ａと下向きの爪部１５ｂを上方の貫通孔ｂの上下両縁部に係止させ、下側係止片１６に形成した下向きの爪部１６ａを下方の貫通孔ｂの下縁部に係止させるように構成されている。
【０００８】
この棚受け構造によれば、間柱１の溝ａ内に向けて折り曲げ連設された壁パネル２の折曲板部７に貫通孔ｂを形成して、棚受け３ａ，３ｂ後端に設けられた上側係止片１５の爪部１５ａ，１５ｂと下側係止片１６の爪部１６ａを挿入係止させるようにしたので、間柱１が屋内側に開口した溝ａを有する断面形状であるにもかかわらず棚受け３ａ，３ｂをワンタッチ操作によって迅速に安定良く取り付けることができ、しかも、壁パネル２の折曲板部７に棚受け３ａ，３ｂを取り付け、棚受け３ａ，３ｂを壁パネル２で支持するようにしたので、専用の棚受け支柱やその取付け手間が不要で棚受け取付け位置の自由度が高く、棚受け取付け位置の変更を迅速に行うことができる等の利点がある。
【０００９】
しかしながら、この棚受け構造においては、棚受け３ａ，３ｂを壁パネル２だけで支持しており、棚板４に掛かる全荷重を壁パネルだけが負担しているので、例えば、棚板４に子供がぶら下がったり、棚板４の一部だけに大重量物を載せる等して、棚板４に想定以上の集中荷重が加わったとき、壁パネル２自体に撓みが生じ、壁パネル２が棚受け３ａ，３ｂごと屋内側に迫り出すという強度面での問題があった。
【００１０】
即ち、組立家屋においては、隅柱や間柱で鉛直荷重の大部分を負担するように構成される関係上、隅柱や間柱１が板厚１〜３ｍｍ程度の鋼板で作製されているのに対し、壁パネル２は、一般的に、板厚０．５ｍｍ程度の鋼板で作製されており、強度がかなり弱い。そのため、壁パネル２の主板部５の左右両端から内側に折曲形成された両側板部６に間柱１の溝ａ内に向けて折り曲げられた折曲板部７を形成し、当該折曲板部７に二枚重ね板部を設けて、端部の強度を高めても、壁パネル２全体が補強されるわけではなく、主板部５や両側板部６は剛性の低いままである。しかも、元々薄肉で強度が弱い壁パネル２の折曲板部７に貫通孔ｂを切り欠くので、その分、強度が低下することになり、その切り欠きによって強度上の弱点となった箇所（貫通孔ｂの縁部）に上側係止片１５の上向き爪部１５ａを引っ掛けて屋内側に引っ張るため、たとえ図示のように、貫通孔ｂ周辺を二枚重ね板部にして補強しても、さほど強度が上がらない。従って、棚板４に想定以上の集中荷重が加わったとき、壁パネル２が屋内側へ引っ張られる力に耐えることができず、壁パネル２が棚受け３ａ，３ｂごと屋内側に迫り出していたのである。
【００１１】
【特許文献１】実開昭５４−１８００４号公報
【特許文献２】特開２００６−１５８７３６号公報
【発明の開示】
【発明が解決しようとする課題】
【００１２】
本発明は、上記の問題点を踏まえてなされたもので、その目的とするところは、先に提案した特開２００６−１５８７３６号公報（特許文献２）の発明を改良し、当該発明が持つ多くの利点（間柱が屋内側に開口した溝を有する断面形状であるにもかかわらず棚受けをワンタッチ操作によって迅速に安定良く取り付けることができ、しかも、専用の棚受け支柱やその取付け手間が不要で棚受け取付け位置の自由度が高く、棚受け取付け位置の変更を迅速に行うことができる等の利点）を確保すると同時に、棚板に想定以上の集中荷重が加わったとき、壁パネル自体に撓みが生じて壁パネルが棚受けごと屋内側に迫り出すという強度面での問題を解決した堅牢な組立家屋の棚受け構造を提供することにある。
【課題を解決するための手段】
【００１３】
上記の目的を達成するために、本発明が講じた技術的手段は、次の通りである。即ち、請求項１に記載の発明は、屋内側に開口した溝を有し且つ溝の両側縁に溝内方へ折れ曲がったリップを有する断面形状の間柱と間柱の間に、主板部と、主板部の左右両端から内側に折曲形成された両側板部と、各側板部の内端から間柱の溝内に向けて折り曲げ連設された折曲板部とを備えた壁パネルを設置した組立家屋において、前記折曲板部に上下方向に間隔を隔てて少なくとも２個の貫通孔を形成する一方、棚受けの後端には、これらの貫通孔に対応させて、上向きの爪部と下向きの爪部を有する上側係止片と、下向きの爪部を有する下側係止片とを設け、上側係止片における上向きの爪部を上端部が横側方へ曲がるにつれて屋内側へ曲がった形状とし、上側係止片を上方の貫通孔に、下側係止片を下方の貫通孔に夫々挿入して、上側係止片及び下側係止片における下向きの爪部を各々の貫通孔の下縁部に係止させ、上側係止片における上向きの爪部を間柱のリップに係止させて、棚受けを間柱と壁パネルとで支持するように構成したことを特徴としている。
【００１４】
請求項２に記載の発明は、請求項１に記載の組立家屋の棚受け構造であって、前記折曲板部に二重に折り曲げ加工された二枚重ね板部を設け、この二枚重ね板部に前記貫通孔を形成する一方、前記棚受けの棚板支持部と前記上側係止片及び下側係止片との間に位置する縦板部を、それらに対して平面視で略直角に折れ曲がった形状とし、この略直角に折れ曲がった折曲縦板部分を壁パネルの折曲板部と面接触させるように構成したことを特徴としている。
【発明の効果】
【００１５】
請求項１に記載の発明によれば、間柱の溝内に向けて折り曲げ連設された壁パネルの折曲板部に貫通孔を形成して、棚受け後端に設けられた上側係止片の爪部と下側係止片の爪部を挿入し、貫通孔の縁部や間柱のリップに係止させるようにしたので、間柱が屋内側に開口した溝を有する断面形状であるにもかかわらず棚受けをワンタッチ操作によって迅速に安定良く取り付けることができ、しかも、壁パネルの折曲板部に棚受けを取り付け、棚受けを間柱と壁パネルで支持するようにしたので、専用の棚受け支柱やその取付け手間が不要で棚受け取付け位置の自由度が高く、棚受け取付け位置の変更を迅速に行うことができる。
【００１６】
殊に、請求項１に記載の発明によれば、上側係止片における上向きの爪部を上端部が横側方へ曲がるにつれて屋内側へ曲がった形状とし、当該上向きの爪部を間柱のリップに係止させて、棚受けを間柱と壁パネルとで支持するように構成したので、棚板に掛かる全荷重を壁パネルと壁パネルよりも強度の高い間柱とで負担することになり、棚板に想定以上の集中荷重が加わったとき、壁パネル自体に撓みが生じて壁パネルが棚受けごと屋内側に迫り出すという従来の問題点を解決できる。
【００１７】
また、上側係止片における上向きの爪部が間柱の溝の両側縁から溝内方へ折れ曲がったリップに係止した状態では、上向きの爪部がリップと間柱の内側面とで横側方への移動を規制された状態となり、棚受けの横方向でのガタツキを減少することができる。
【００１８】
請求項２に記載の発明によれば、間柱の溝内に向けて折り曲げ連設された壁パネルの折曲板部に二重に折り曲げ加工された二枚重ね板部を設け、この二枚重ね板部に前記貫通孔を形成するので、貫通孔周辺が補強され、棚受けに鉛直荷重が作用した際、上側係止片に作用する引張力を間柱で支持することと相まって、貫通孔の縁部の変形を防止できる。
【００１９】
即ち、棚板に載置された物品の重量によって、棚受けに鉛直荷重が作用した際、上側係止片には、前方（貫通孔から抜け出す方向）の引張力が作用し、下側係止片には逆方向への圧縮力が作用するが、上側係止片に上向きの爪部と下向きの爪部を設けて、上向きの爪部を間柱のリップに係止させるように構成したので、引張力は間柱によって支持されることになり、貫通孔の上縁部には引張応力が作用しない。しかも、棚受けの棚板支持部と前記上側係止片及び下側係止片との間に位置する縦板部を、それらに対して平面視で略直角に折れ曲がった形状とし、この略直角に折れ曲がった折曲縦板部分を壁パネルの折曲板部と面接触させることで、圧縮応力が分散されることになる。
【００２０】
従って、貫通孔の縁部が変形するのを防止でき、堅牢な棚板取付け構造が実現されるのであり、例えば、２枚分の広い横幅を持つ１枚の棚板を３本の棚受け（棚板の左右両端部を支持する２本の棚受けと棚板の中央部を支持する１本の棚受けの合計３本）で支持することも可能となる。即ち、従来の棚受け構造では、３本の間柱の間隔に相当する横長の棚板（２枚分の広い横幅を持つ１枚の棚板）を用いる場合、棚板の左右両端部を各々１本の棚受けで支持し、棚板の中央部を中央の間柱に対応して取り付けた２本の棚受けで支持していたが、請求項２に記載の発明によれば、堅牢な棚板取付け構造が実現されるので、棚板の中央部を支持する２本の棚受けのうち１本を省略することが可能であり、大幅なコストダウンを図り得るのである。
【発明を実施するための最良の形態】
【００２１】
図１は、例えば物置として使用される組立家屋の棚受け構造を例示し、図２〜図５は、その要部を示す。図において、１は、屋内側に開口した溝ａを有し且つ溝ａの両側縁に溝ａ内方へ鋭角的に折れ曲がったリップ１ａを有する断面形状の間柱である。間柱１と間柱１の間には、壁パネル２が設置されている。３ａ，３ｂは棚受けであり、両棚受け３ａ，３ｂは互いに左右対称形に形成されている。４は、左右の棚受け３ａ，３ｂに架設された棚板であり、間柱１の間隔に対応する横幅に設定されている。
【００２２】
前記壁パネル２は、図４〜図９に示すように、主板部５と、主板部５の左右両端から内側（屋内側）に折曲形成された両側板部６と、各側板部６の内端から間柱１の溝ａ内に向けて折り曲げ連設された折曲板部７とを備えている。
【００２３】
各折曲板部７は、側板部６の内端から側方へ略直角に折れ曲がった第一板部８と、第一板部８の先端から外側（屋外側）へ略直略に折れ曲がった第二板部９と、第二板部９の外端から側方へ略直角に折れ曲がった第三板部１０と、第三板部１０の先端から外側へ略直角に折れ曲がった第四板部１１とを備えており、第四板部１１の外端から第二板部９の内端までを二重に折り曲げ加工された二枚重ね板部としてある。そして、第三板部１０における二枚重ね板部には、縦長矩形状の貫通孔ｂを上下方向に一定間隔を隔てて複数個ずつ形成してある。
【００２４】
また、折曲板部７における第一板部８には、図４、図１０に示すように、上下方向の複数箇所に連結金具挿入孔ｃが形成されており、壁パネル２の両側板部６と間柱１の両側面板部には、互いに対向する位置に複数のボルト挿入孔ｄ，ｅが形成されている。そして、連結金具挿入孔ｃに挿入された連結金具１２のねじ孔に、前記ボルト挿入孔ｄ，ｅから挿入したボルト１３をねじ込むことによって、間柱１と壁パネル２を連結するように構成してある。
【００２５】
尚、間柱１や棚受け３ａ，３ｂは厚い（例えば１〜３ｍｍ）鋼板で製造され、壁パネル２はそれらより薄い（例えば０．５ｍｍ）鋼板で製造されている。
【００２６】
前記棚受け３ａ，３ｂは左右対称形であるため、片側の棚受け３ａについてのみ説明すると、当該棚受け３ａは、図１〜図３、図５、図６に示すように、水平方向に延びる棚板支持部１４と、棚受け後端に前記貫通孔ｂに対応する上下間隔を隔てて設けられた上側係止片１５及び下側係止片１６と、棚板支持部１４と前記上側係止片１５及び下側係止片１６との間に位置する縦板部１７とを有し、縦板部１７には棚板支持部１４の前後両端に対応する位置に棚板４を位置決めするための切欠き部ｆ，ｇが形成されている。
【００２７】
棚板４の前後両端には、図２、図３に示すように、前記切欠き部ｆ，ｇと係合する折曲部４ａ，４ｂが形成され、左右両端には棚板支持部１４に嵌合する折曲部４ｃが形成されている。そして、棚板４前端の折曲部４ａを棚板支持部１４前端の切欠き部ｆに係合させた状態で、棚板４後端の折曲部４ｂを棚板支持部１４後端の切欠き部ｇに上方から落とし込んで係合させることによって、棚板４が前後左右に移動しないように構成してある。４ｄ，４ｅは棚板４の端縁を隠蔽する合成樹脂製の化粧キャップである。
【００２８】
前記上側係止片１５には、上向きの爪部１５ａと下向きの爪部１５ｂを設けてある。下向きの爪部１５ｂは上方の貫通孔ｂの下縁部に係止するように構成してあるが、上向きの爪部１５ａは、図４、図６〜図８に示すように、上端部が横側方へ曲がるにつれて屋内側へ曲がった形状に形成されており、図３、図５に示すように、間柱1のリップ１ａに係止するように構成してある。下側係止片１６には、下向きの爪部１６ａだけを設けて下方の貫通孔ｂの下縁部に係止するように構成してある。
【００２９】
前記縦板部１７は、図２、図５に示すように、棚板支持部１４と前記上側係止片１５及び下側係止片１６に対して平面視で略直角に折れ曲がった形状（いわゆるＺ曲げした形状）とされ、この略直角に折れ曲がった折曲縦板部分（Ｚ曲げ板部）１７ａを壁パネル２の折曲板部７における第一板部８と面接触させるように構成してある。また、面接触させる折曲縦板部分１７ａのうち上側係止片１５と下側係止片１６との間に位置する一部を屋外側へ略直角に切り起こすと共に、その先端を切り起こし方向に湾曲させて、壁パネル２の側板部６に対する係止片１７ｂを構成してある。
【００３０】
上記の構成によれば、間柱１の溝ａ内に向けて折り曲げ連設された壁パネル２の折曲板部７に貫通孔ｂを形成して、これらの貫通孔ｂに棚受け３ａ，３ｂ後端に設けられた上側係止片１５の爪部１５ａ，１５ｂと下側係止片１６の爪部１６ａを挿入し、上側係止片１５における下向きの爪部１５ｂを上方の貫通孔ｂの下縁部に、下側係止片１６における下向きの爪部１６ａを下方の貫通孔ｂの下縁部に係止させ、上側係止片１５における上向きの爪部１５ａを間柱１のリップ１ａに係止させるようにしたので、間柱１が屋内側に開口した溝ａを有する断面形状であるにもかかわらず棚受け３ａ，３ｂをワンタッチ操作によって迅速に取り付けることができ、しかも、壁パネル２の折曲板部７に棚受け３ａ，３ｂを取り付けているにもかかわらず、棚受け３ａ，３ｂを間柱１と壁パネル２とで支持するようにしたので、専用の棚受け支柱やその取付け手間が不要で棚受け取付け位置の自由度が高く、棚受け取付け位置の変更を迅速に行うことができる。
【００３１】
殊に、上記の構成によれば、上側係止片１５における上向きの爪部１５ａを上端部が横側方へ曲がるにつれて屋内側へ曲がった形状とし、当該上向きの爪部１５ａを間柱１のリップ１ａに係止させて、棚受け３ａ，３ｂを間柱１と壁パネル２とで支持するように構成したので、棚板４に掛かる全荷重を壁パネル２と壁パネル２よりも強度の高い間柱１とで負担することになり、棚板４に想定以上の集中荷重が加わったとき、壁パネル２自体に撓みが生じて壁パネル２が棚受け３ａ，３ｂごと屋内側に迫り出すという従来の問題点を解決できる。
【００３２】
しかも、上記の構成によれば、間柱１の溝ａ内に向けて折り曲げ連設された壁パネル２の折曲板部７に二重に折り曲げ加工された二枚重ね板部を設け、この二枚重ね板部に前記貫通孔ｂを形成するので、貫通孔ｂ周辺が補強され、棚受け３ａ，３ｂに鉛直荷重が作用した際、上側係止片１５に作用する引張力を頑丈な間柱１で支持することと相まって、貫通孔ｂの縁部の変形を防止できる。
【００３３】
即ち、棚板４に載置された物品の重量によって、棚受け３ａ，３ｂに鉛直荷重が作用した際、上側係止片１５には、前方（貫通孔ｂから抜け出す方向）の引張力が作用し、下側係止片１６には逆方向への圧縮力が作用するが、上側係止片１５に上向きの爪部１５ａと下向きの爪部１５ｂを設けて、上向きの爪部１５ａを間柱１のリップ１ａに係止させるように構成したので、引張力は間柱１によって支持されることになり、貫通孔ｂの上縁部には引張応力が作用しない。しかも、棚受け３ａ，３ｂの棚板支持部１４と前記上側係止片１５及び下側係止片１６との間に位置する縦板部１７を、それらに対して平面視で略直角に折れ曲がった形状とし、この略直角に折れ曲がった折曲縦板部分１７ａを壁パネル２の折曲板部７における第一板部８と面接触させることで、圧縮応力が分散されることになる。
【００３４】
従って、貫通孔ｂの縁部が変形するのを防止でき、堅牢な棚板取付け構造が実現されるのであり、例えば、２枚分の広い横幅を持つ１枚の棚板４を３本の棚受け（棚板の左右両端部を支持する２本の棚受けと棚板の中央部を支持する１本の棚受けの合計３本）で支持することも可能となる。
【００３５】
即ち、間柱１の間隔に対応する横幅の棚板４を左右に連続させて架設する場合、通常は、図５に示すように、間柱１の両側に設置された壁パネル２の折曲板部７に形成された貫通孔ｂに、夫々、棚受け３ａ，３ｂの上側係止片１５の爪部１５ａ，１５ｂと下側係止片１６の爪部１６ａを挿入して取り付けることになるが、２枚の棚板に代えて、３本の間柱１の間隔に相当する横長の棚板（２枚分の広い横幅を持つ１枚の棚板）を用いることもできる。この場合、従来の棚受け構造では、横長の棚板の左右両端部を各々１本の棚受けで支持し、棚板の中央部を中央の間柱に対応して取り付けた２本の棚受けで支持することが強度上、必要とされたが、上記の構成によれば、棚板に掛かる全荷重を壁パネル２よりも強度の高い間柱１と壁パネル２とで負担する堅牢な棚板取付け構造が実現されるので、横長の棚板の中央部を支持する２本の棚受けのうち１本を省略することが可能であり、これによって大幅なコストダウンを図り得るのである。
【００３６】
また、上記の構成によれば、上側係止片１５における上向きの爪部１５ａが間柱１の溝ａの両側縁から溝ａ内方へ折れ曲がったリップ１ａに係止した状態では、上向きの爪部１５ａがリップ１ａと間柱１の内側面とで横側方への移動を規制された状態となり、しかも、折曲縦板部分１７ａに設けた係止片１７ｂが壁パネル２の側板部６に当接することによって、それ以上の横移動を規制された状態となるので、棚受け３ａ，３ｂの横方向でのガタツキを著しく減少することができる。
【００３７】
以上、図示の実施形態に基づいて本発明を説明したが、本発明は、図示の実施形態だけに限定されるものではなく、例えば、棚受けの後端に係止片を３個以上形成して、最上段の係止片を上側係止片１５とし、残りの複数段の係止片を下側係止片１６として実施したり、折曲板部７の全体を二重に折り曲げ加工された二枚重ね板部に構成する等、本発明の要旨を逸脱しない範囲において、種々なる態様で実施し得ることは勿論である。
【図面の簡単な説明】
【００３８】
【図１】本発明に係る組立家屋の棚受け構造を示す概略斜視図である。
【図２】要部の斜視図である。
【図３】要部の縦断側面図である。
【図４】要部の分解斜視図である。
【図５】棚受け取付け部を示す横断平面図である。
【図６】棚受けの要部の側面図である。
【図７】図６のＡ−Ａ矢視図である。
【図８】図６のＢ−Ｂ矢視図である。
【図９】壁パネルの一部切欠き平面図である。
【図１０】壁パネルの要部の一部切欠き正面図である。
【図１１】従来例を説明する要部の分解斜視図である。
【図１２】従来例を説明する要部の縦断側面図である。
【図１３】従来例を説明する要部の横断平面図である。
【符号の説明】
【００３９】
１  間柱
１ａ  リップ
２  壁パネル
３ａ，３ｂ  棚受け
４  棚板
５  主板部
６  側板部
７  折曲板部
８  第一板部
９  第二板部
１０  第三板部
１１  第四板部
１５  上側係止片
１５ａ，１５ｂ  爪部
１６  下側係止片
１６ａ  爪部
１７  縦板部
１７ａ  折曲縦板部分
ａ  溝
ｂ  貫通孔
【図１】
2008253667.tif 000003
【図２】
2008253667.tif 000004
【図３】
2008253667.tif 000005
【図４】
2008253667.tif 000006
【図５】
2008253667.tif 000007
【図６】
2008253667.tif 000008
【図７】
2008253667.tif 000009
【図８】
2008253667.tif 000010
【図９】
2008253667.tif 000011
【図１０】
2008253667.tif 000012
【図１１】
2008253667.tif 000013
【図１２】
2008253667.tif 000014
【図１３】
2008253667.tif 000015